(57)【要約】【課題】本発明は、省電力モード時のアクセスのアクセス履歴情報を適切かつ効率的に管理する情報機器及び記録媒体に関する。【解決手段】複合装置１は、少なくともハードディスク７への電力供給を制限して消費電力を削減する省電力モード時に、アクセスがあると、所定の省電力モード解除基準、例えば、予め設定された種類のアクセスであるか等の基準に基づいて省電力モードを解除するか否かを判断し、省電力モードを解除する場合には、当該アクセスのアクセス履歴情報をハードディスク７に書き込むアクセス履歴管理処理を実行する。したがって、アクセス履歴情報の記録とアクセス履歴情報の記録先であるハードディスク７を停止する省電力モードのどちらを優先するかを所定の省電力モード解除基準に基づいて判断することができ、省電力を図りつつアクセス履歴情報を適切に管理することができる。【選択図】          図１
2005215856.tif 000002
【特許請求の範囲】
【請求項１】
各種アクセス要求に応じて、当該要求のあったアクセスに対応する処理を実行して、当該アクセスの種別によっては不揮発記憶媒体に必要な情報を記憶するとともに、当該アクセスが発生した旨の情報をアクセス履歴情報として当該不揮発記憶媒体に書き込む情報機器において、前記不揮発記憶媒体に対する読取動作及び書込動作がない場合に少なくとも当該不揮発記憶媒体への電力供給を制限して消費電力を削減する省電力モードを備え、当該省電力モード時に、アクセスがあると、所定の省電力モード解除基準に基づいて当該省電力モードを解除するか否かを判断し、当該省電力モードを解除する場合には、当該アクセスのアクセス履歴情報を前記不揮発記憶媒体に書き込むアクセス履歴管理処理を実行することを特徴とする情報機器。
【請求項２】
前記情報機器は、前記省電力モード解除基準が、適宜設定可能であり、当該設定された省電力モード解除基準に基づいて前記発生したアクセスに対して前記省電力モードを解除するか否か判断することを特徴とする請求項１記載の情報機器。
【請求項３】
前記情報機器は、前記省電力モード解除基準として、前記アクセスの種類毎に省電力モードを解除するアクセスであるか否かの省電力解除可否アクセスを設定可能であり、アクセスが発生すると、当該アクセスが前記省電力解除可否アクセスに省電力モードを解除するアクセスとして設定されているか否かに基づいて前記省電力モードを解除するか否かを判断することを特徴とする請求項１記載の情報機器。
【請求項４】
前記情報機器は、前記省電力モード解除基準として、前記アクセスの発生時間帯毎に省電力モードを解除するか否かの省電力解除可否時間帯を設定可能であり、アクセスが発生すると、当該アクセスの発生時間帯が前記省電力モード解除可否時間帯に前記省電力モードを解除する時間帯として設定されているか否かに基づいて前記省電力モードを解除するか否かを判断することを特徴とする請求項１記載の情報機器。
【請求項５】
前記情報機器は、前記省電力モード解除基準として、前記省電力モードを解除するユーザであるか否かの省電力解除可否ユーザを設定可能であり、アクセスが発生すると、当該アクセスしてきたユーザが前記省電力解除可否ユーザに前記省電力モードを解除するユーザとして設定されているユーザであるか否かに基づいて前記省電力モードを解除するか否かを判断することを特徴とする請求項１記載の情報機器。
【請求項６】
前記情報機器は、前記省電力モード解除基準として、前記アクセスを拒否した場合に省電力モードを解除するか否かのアクセス拒否時省電力モード解除基準を設定可能であり、アクセスが発生して当該アクセスを拒否した場合に、当該アクセス拒否時省電力モード解除基準に基づいて前記省電力モードを解除するか否かを判断することを特徴とする請求項１記載の情報機器。
【請求項７】
各種アクセス要求に応じて、当該要求のあったアクセスに対応する処理を実行して、当該アクセスの種別によっては不揮発記憶媒体に必要な情報を記憶するとともに、当該アクセスが発生した旨の情報をアクセス履歴情報として当該不揮発記憶媒体に書き込む情報機器において、前記不揮発記憶媒体に対する読取動作及び書込動作がない場合に少なくとも前記不揮発記憶媒体への電力供給を制限して消費電力を削減する省電力モード及び前記省電力モード時に当該省電力モードを解除することなく前記アクセス履歴情報の書き込みが可能な省電力時書込可能不揮発記憶媒体を備え、当該省電力モード時に、アクセスがあると、当該アクセスのアクセス履歴情報を前記省電力時書込可能不揮発記憶媒体に書き込み、所定の省電力モード復帰要因が発生すると、前記省電力モードを解除して、当該省電力モード時に前記省電力時書込可能不揮発記憶媒体に書き込んだ前記アクセス履歴情報を前記不揮発記憶媒体に書き込むアクセス履歴管理処理を実行することを特徴とする情報機器。
【請求項８】
前記情報機器は、前記所定の省電力モード復帰要因が、前記アクセス履歴情報を前記不揮発記憶媒体に書き込むため以外の省電力モード復帰要因であることを特徴とする請求項７記載の情報機器。
【請求項９】
前記情報機器は、前記省電力時書込可能不揮発記憶媒体へ書き込んだ前記アクセス履歴情報の合計サイズが予め設定されている所定サイズを超えたことを前記所定の省電力モード復帰要因として、前記省電力モードを解除して、当該省電力モード時に前記省電力時書込可能不揮発記憶媒体に書き込んだ前記アクセス履歴情報を前記不揮発記憶媒体に書き込むことを特徴とする請求項７記載の情報機器。
【請求項１０】
前記情報機器は、前記省電力時書込可能不揮発記憶媒体への前記アクセス履歴情報の書込アクセスの合計回数が予め設定されている所定回数を超えたことを前記所定の省電力モード復帰要因として、前記省電力モードを解除して、当該省電力モード時に前記省電力時書込可能不揮発記憶媒体に書き込んだ前記アクセス履歴情報を前記不揮発記憶媒体に書き込むことを特徴とする請求項７記載の情報機器。
【請求項１１】
前記情報機器は、当該情報機器の電源のオフが要求されたことを前記所定の省電力モード復帰要因として、前記省電力モードを解除して、当該省電力モード時に前記省電力時書込可能不揮発記憶媒体に書き込んだ前記アクセス履歴情報を前記不揮発記憶媒体に書き込むことを特徴とする請求項７記載の情報機器。
【請求項１２】
各種アクセス要求に応じて、当該要求のあったアクセスに対応する処理を実行し、当該アクセスの種別によっては当該情報機器の不揮発記憶媒体に必要な情報を記憶する情報機器に導入され、前記アクセスが発生したときに、当該アクセスが発生した旨の情報をアクセス履歴情報として前記不揮発記憶媒体に記憶させるアクセス履歴管理プログラムの記録された記録媒体であって、前記アクセス履歴管理プログラムとして、請求項１から請求項１１記載のアクセス履歴管理処理を前記情報機器に実行させるアクセス履歴管理プログラムが記録されていることを特徴とする記録媒体。
【発明の詳細な説明】
【技術分野】
【０００１】
本発明は、情報機器及び記録媒体に関し、詳細には、省電力モード時のアクセスのアクセス履歴情報を適切かつ効率的に管理する情報機器及び記録媒体に関する。
【背景技術】
【０００２】
近年、情報機器、例えば、複合機等の画像機器は、非常に多くのユーザから多種多様な要求が行われ、その利用状況の把握が、機器管理者の重要な仕事となっている。また、近年、画像機器等の情報機器は、ネットワークに接続されるようになってきており、このようなネットワーク接続された情報機器は、操作部からの手入力操作だけでなく、ネットワークを経由したアクセスもあり、情報機器に対するアクセスについて履歴を取ることは、利用状況の把握、セキュリティの向上等において重要である。さらに、情報機器が故障した場合の解析資料としてアクセス履歴は重要である（特許文献１参照）。
【０００３】
アクセス履歴については、電源のオフ後においても保持する必要があること及び用途によっては、１アクセス当たり記憶するべき情報のサイズが大きいこと等から記憶する媒体として、コスト高であるＮＶＲＡＭや書換可能回数に制限のあるフラッシュメモリ等ではなく、ハードディスクが適している。
【０００４】
これらの情報機器、特に、画像機器は、文書蓄積用やプリンタ出力用に、ハードディスクを搭載した機種があり、このハードディスクに、アクセス履歴も記憶することが従来から行われている。
【０００５】
一方、ハードディスクを搭載した情報機器は、消費電力を削減するモード（省電力モード）を備え、この省電力モード時に、ハードディスクへの電力供給を停止する情報機器がある。そして、情報機器では、一般的に、待機状態で一定時間、情報機器に対して特定のアクセスがない場合に、省電力モードに自動で移行する。また、ハードディスクへの電源供給を制限することで、ディスクを回転しているモータも停止するため、静音の効果もある。通常、省電力モード中に、情報機器に対して、動作要求を行う場合、ハードディスクへの読み書き処理が必要であれば、省電力モードを解除してから、ハードディスクへアクセスする。
【０００６】
【特許文献１】特開２００２−１５７１４７号公報
【発明の開示】
【発明が解決しようとする課題】
【０００７】
しかしながら、上記従来技術にあっては、情報機器の管理と省電力モードを適切に処理して消費電力を削減する上で、改良の必要があった。
【０００８】
すなわち、ネットワークに接続された情報機器にあっては、ネットワーク経由での情報機器へのアクセス等については、さまざまな種類のアクセスがあり、例えば、ハードディスクを使用できない省電力モード中であっても、処理可能なアクセスもあり、また、不正なアクセス等であって情報機器側が拒絶した場合についても、そのような不正なアクセス等を受けたというアクセス履歴情報を記憶したい場合もある。
【０００９】
ところが、このような場合に、アクセス履歴情報を記録するためだけに、省電力モードを解除することは、情報機器の全てのユーザが一律に望んでいるわけではなく、省電力とアクセス履歴のどちらを優先するかによっても異なる。また、アクセスの種類によっても、省電力モード解除の必要性に違いがあり、重要でないアクセスによって頻繁に省電力モードを解除すると、結果的に省電力モードの効果が低下する場合もある。
【００１０】
そこで、請求項１記載の発明は、各種アクセス要求に応じて、当該要求のあったアクセスに対応する処理を実行して、当該アクセスの種別によっては不揮発記憶媒体に必要な情報を記憶するとともに、当該アクセスが発生した旨の情報をアクセス履歴情報として当該不揮発記憶媒体に書き込むに際して、不揮発記憶媒体に対する読取動作及び書込動作がない場合に少なくとも当該不揮発記憶媒体への電力供給を制限して消費電力を削減する省電力モード時に、アクセスがあると、所定の省電力モード解除基準に基づいて当該省電力モードを解除するか否かを判断し、当該省電力モードを解除する場合には、当該アクセスのアクセス履歴情報を不揮発記憶媒体に書き込むアクセス履歴管理処理を実行することにより、アクセス履歴情報の記録とアクセス履歴情報の記録先である不揮発記憶媒体を停止する省電力モードのどちらを優先するかを所定の省電力モード解除基準に基づいて判断し、省電力を図りつつアクセス履歴情報を適切に管理する情報機器を提供することを目的としている。
【００１１】
請求項２記載の発明は、省電力モード解除基準を、適宜設定可能として、当該設定された省電力モード解除基準に基づいて発生したアクセスに対して省電力モードを解除するか否か判断することにより、アクセス履歴情報の記録とアクセス履歴情報の記録先である不揮発記憶媒体を停止する省電力モードのどちらを優先するかをユーザが適宜設定し、省電力を図りつつアクセス履歴情報を適切に管理するとともに、利用性を向上させる情報機器を提供することを目的としている。
【００１２】
請求項３記載の発明は、省電力モード解除基準として、アクセスの種類毎に省電力モードを解除するアクセスであるか否かの省電力解除可否アクセスを設定可能とし、アクセスが発生すると、当該アクセスが省電力解除可否アクセスに省電力モードを解除するアクセスとして設定されているか否かに基づいて省電力モードを解除するか否かを判断することにより、ユーザの情報機器に対するアクセスの種類に応じてアクセス履歴情報の記録と省電力モードのどちらを優先するかを決定し、ユーザの利用形態に応じて省電力を図りつつアクセス履歴情報を最適に管理するとともに、利用性をより一層向上させる情報機器を提供することを目的としている。
【００１３】
請求項４記載の発明は、省電力モード解除基準として、アクセスの発生時間帯毎に省電力モードを解除するか否かの省電力解除可否時間帯を設定可能とし、アクセスが発生すると、当該アクセスの発生時間帯が省電力モード解除可否時間帯に省電力モードを解除する時間帯として設定されているか否かに基づいて省電力モードを解除するか否かを判断することにより、ユーザの情報機器の利用時間帯に応じてアクセス履歴情報の記録と省電力モードのどちらを優先するかを決定し、ユーザの利用時間帯に応じて省電力を図りつつアクセス履歴情報を最適に管理するとともに、利用性をより一層向上させる情報機器を提供することを目的としている。
【００１４】
請求項５記載の発明は、省電力モード解除基準として、省電力モードを解除するユーザであるか否かの省電力解除可否ユーザを設定可能とし、アクセスが発生すると、当該アクセスしてきたユーザが省電力解除可否ユーザに省電力モードを解除するユーザとして設定されているユーザであるか否かに基づいて省電力モードを解除するか否かを判断することにより、各ユーザの情報機器の利用形態に応じてアクセス履歴情報の記録と省電力モードのどちらを優先するかを決定し、ユーザ毎の利用形態に応じて省電力を図りつつアクセス履歴情報を最適に管理するとともに、利用性をより一層向上させる情報機器を提供することを目的としている。
【００１５】
請求項６記載の発明は、省電力モード解除基準として、アクセスを拒否した場合に省電力モードを解除するか否かのアクセス拒否時省電力モード解除基準を設定可能とし、アクセスが発生して当該アクセスを拒否した場合に、当該アクセス拒否時省電力モード解除基準に基づいて省電力モードを解除するか否かを判断することにより、例えば、不正な攻撃を受けてアクセスを拒否した場合等に対するアクセス履歴情報の記録を適切に行い、省電力を図りつつアクセス履歴情報をより一層適切に管理する情報機器を提供することを目的としている。
【００１６】
請求項７記載の発明は、各種アクセス要求に応じて、当該要求のあったアクセスに対応する処理を実行して、当該アクセスの種別によっては不揮発記憶媒体に必要な情報を記憶するとともに、当該アクセスが発生した旨の情報をアクセス履歴情報として当該不揮発記憶媒体に書き込むに際して、不揮発記憶媒体に対する読取動作及び書込動作がない場合に少なくとも不揮発記憶媒体への電力供給を制限して消費電力を削減する省電力モード時に、アクセスがあると、当該アクセスのアクセス履歴情報を、省電力モード時に当該省電力モードを解除することなくアクセス履歴情報の書き込みが可能な省電力時書込可能不揮発記憶媒体に書き込み、所定の省電力モード復帰要因が発生すると、省電力モードを解除して、当該省電力モード時に省電力時書込可能不揮発記憶媒体に書き込んだアクセス履歴情報を不揮発記憶媒体に書き込むアクセス履歴管理処理を実行することにより、省電力モードを解除することなく、アクセス履歴情報を確実に記録し、省電力をより一層向上させつつ、アクセス履歴情報を適切に管理する情報機器を提供することを目的としている。
【００１７】
請求項８記載の発明は、所定の省電力モード復帰要因を、アクセス履歴情報を不揮発記憶媒体に書き込むため以外の省電力モード復帰要因とすることにより、アクセス履歴情報を不揮発記録媒体に書き込むために省電力モードを解除することなく、アクセス履歴情報を確実に記録し、省電力をより一層向上させつつ、アクセス履歴情報を適切に管理する情報機器を提供することを目的としている。
【００１８】
請求項９記載の発明は、省電力時書込可能不揮発記憶媒体へ書き込んだアクセス履歴情報の合計サイズが予め設定されている所定サイズを超えたことを所定の省電力モード復帰要因として、省電力モードを解除して、当該省電力モード時に省電力時書込可能不揮発記憶媒体に書き込んだアクセス履歴情報を不揮発記憶媒体に書き込むことにより、省電力モードを解除することなく、アクセス履歴情報を省電力時書込可能不揮発記憶媒体に記録するとともに、省電力時書込可能不揮発記憶媒体の記憶容量がオーバーする前に、アクセス履歴情報を不揮発記憶媒体に転記して、アクセス履歴を確実に保存し、省電力をより一層向上させつつ、アクセス履歴情報をより一層適切に管理する情報機器を提供することを目的としている。
【００１９】
請求項１０記載の発明は、省電力時書込可能不揮発記憶媒体へのアクセス履歴情報の書込アクセスの合計回数が予め設定されている所定回数を超えたことを所定の省電力モード復帰要因として、省電力モードを解除して、当該省電力モード時に省電力時書込可能不揮発記憶媒体に書き込んだアクセス履歴情報を不揮発記憶媒体に書き込むことにより、省電力モードを解除することなく、アクセス履歴情報を省電力時書込可能不揮発記憶媒体に記録するとともに、省電力時書込可能不揮発記憶媒体のアクセス履歴情報が停電等で消失する前に不揮発記憶媒体に転記して、アクセス履歴を確実に保存し、省電力をより一層向上させつつ、アクセス履歴情報をより一層適切に管理する情報機器を提供することを目的としている。
【００２０】
請求項１１記載の発明は、情報機器の電源のオフが要求されたことを所定の省電力モード復帰要因として、省電力モードを解除して、当該省電力モード時に省電力時書込可能不揮発記憶媒体に書き込んだアクセス履歴情報を不揮発記憶媒体に書き込むことにより、省電力モードを解除することなく、アクセス履歴情報を省電力時書込可能不揮発記憶媒体に記録するとともに、電源のオフを行う前に、省電力時書込可能不揮発記憶媒体のアクセス履歴情報を不揮発記憶媒体に転記して、アクセス履歴を確実に保存し、省電力をより一層向上させつつ、アクセス履歴情報をより一層適切に管理する情報機器を提供することを目的としている。
【００２１】
請求項１２記載の発明は、各種アクセス要求に応じて、当該要求のあったアクセスに対応する処理を実行し、当該アクセスの種別によっては当該情報機器の不揮発記憶媒体に必要な情報を記憶する情報機器に導入され、アクセスが発生したときに、当該アクセスが発生した旨の情報をアクセス履歴情報として不揮発記憶媒体に記憶させるアクセス履歴管理プログラムを記録するに際して、アクセス履歴管理プログラムとして、請求項１から請求項１１記載のアクセス履歴管理処理を情報機器に実行させるアクセス履歴管理プログラムを記録することにより、アクセス履歴情報の記録とアクセス履歴情報の記録先である不揮発記憶媒体を停止する省電力モードのどちらを優先するかを所定の省電力モード解除基準に基づいて判断し、省電力を図りつつアクセス履歴情報を適切に管理する情報機器を構築することのできる記録媒体を提供することを目的としている。
【課題を解決するための手段】
【００２２】
請求項１記載の発明の情報機器は、各種アクセス要求に応じて、当該要求のあったアクセスに対応する処理を実行して、当該アクセスの種別によっては不揮発記憶媒体に必要な情報を記憶するとともに、当該アクセスが発生した旨の情報をアクセス履歴情報として当該不揮発記憶媒体に書き込む情報機器において、前記不揮発記憶媒体に対する読取動作及び書込動作がない場合に少なくとも当該不揮発記憶媒体への電力供給を制限して消費電力を削減する省電力モードを備え、当該省電力モード時に、アクセスがあると、所定の省電力モード解除基準に基づいて当該省電力モードを解除するか否かを判断し、当該省電力モードを解除する場合には、当該アクセスのアクセス履歴情報を前記不揮発記憶媒体に書き込むアクセス履歴管理処理を実行することにより、上記目的を達成している。
【００２３】
この場合、例えば、請求項２に記載するように、前記情報機器は、前記省電力モード解除基準が、適宜設定可能であり、当該設定された省電力モード解除基準に基づいて前記発生したアクセスに対して前記省電力モードを解除するか否か判断するものであってもよい。
【００２４】
また、例えば、請求項３に記載するように、前記情報機器は、前記省電力モード解除基準として、前記アクセスの種類毎に省電力モードを解除するアクセスであるか否かの省電力解除可否アクセスを設定可能であり、アクセスが発生すると、当該アクセスが前記省電力解除可否アクセスに省電力モードを解除するアクセスとして設定されているか否かに基づいて前記省電力モードを解除するか否かを判断するものであってもよい。
【００２５】
さらに、例えば、請求項４に記載するように、前記情報機器は、前記省電力モード解除基準として、前記アクセスの発生時間帯毎に省電力モードを解除するか否かの省電力解除可否時間帯を設定可能であり、アクセスが発生すると、当該アクセスの発生時間帯が前記省電力モード解除可否時間帯に前記省電力モードを解除する時間帯として設定されているか否かに基づいて前記省電力モードを解除するか否かを判断するものであってもよい。
【００２６】
また、例えば、請求項５に記載するように、前記情報機器は、前記省電力モード解除基準として、前記省電力モードを解除するユーザであるか否かの省電力解除可否ユーザを設定可能であり、アクセスが発生すると、当該アクセスしてきたユーザが前記省電力解除可否ユーザに前記省電力モードを解除するユーザとして設定されているユーザであるか否かに基づいて前記省電力モードを解除するか否かを判断するものであってもよい。
【００２７】
さらに、例えば、請求項６に記載するように、前記情報機器は、前記省電力モード解除基準として、前記アクセスを拒否した場合に省電力モードを解除するか否かのアクセス拒否時省電力モード解除基準を設定可能であり、アクセスが発生して当該アクセスを拒否した場合に、当該アクセス拒否時省電力モード解除基準に基づいて前記省電力モードを解除するか否かを判断するものであってもよい。
【００２８】
請求項７記載の発明の情報機器は、各種アクセス要求に応じて、当該要求のあったアクセスに対応する処理を実行して、当該アクセスの種別によっては不揮発記憶媒体に必要な情報を記憶するとともに、当該アクセスが発生した旨の情報をアクセス履歴情報として当該不揮発記憶媒体に書き込む情報機器において、前記不揮発記憶媒体に対する読取動作及び書込動作がない場合に少なくとも前記不揮発記憶媒体への電力供給を制限して消費電力を削減する省電力モード及び前記省電力モード時に当該省電力モードを解除することなく前記アクセス履歴情報の書き込みが可能な省電力時書込可能不揮発記憶媒体を備え、当該省電力モード時に、アクセスがあると、当該アクセスのアクセス履歴情報を前記省電力時書込可能不揮発記憶媒体に書き込み、所定の省電力モード復帰要因が発生すると、前記省電力モードを解除して、当該省電力モード時に前記省電力時書込可能不揮発記憶媒体に書き込んだ前記アクセス履歴情報を前記不揮発記憶媒体に書き込むアクセス履歴管理処理を実行することにより、上記目的を達成している。
【００２９】
請求項７の場合、例えば、請求項８に記載するように、前記情報機器は、前記所定の省電力モード復帰要因が、前記アクセス履歴情報を前記不揮発記憶媒体に書き込むため以外の省電力モード復帰要因であるものであってもよい。
【００３０】
また、例えば、請求項９に記載するように、前記情報機器は、前記省電力時書込可能不揮発記憶媒体へ書き込んだ前記アクセス履歴情報の合計サイズが予め設定されている所定サイズを超えたことを前記所定の省電力モード復帰要因として、前記省電力モードを解除して、当該省電力モード時に前記省電力時書込可能不揮発記憶媒体に書き込んだ前記アクセス履歴情報を前記不揮発記憶媒体に書き込むものであってもよい。
【００３１】
さらに、例えば、請求項１０に記載するように、前記情報機器は、前記省電力時書込可能不揮発記憶媒体への前記アクセス履歴情報の書込アクセスの合計回数が予め設定されている所定回数を超えたことを前記所定の省電力モード復帰要因として、前記省電力モードを解除して、当該省電力モード時に前記省電力時書込可能不揮発記憶媒体に書き込んだ前記アクセス履歴情報を前記不揮発記憶媒体に書き込むものであってもよい。
【００３２】
また、例えば、請求項１１に記載するように、前記情報機器は、当該情報機器の電源のオフが要求されたことを前記所定の省電力モード復帰要因として、前記省電力モードを解除して、当該省電力モード時に前記省電力時書込可能不揮発記憶媒体に書き込んだ前記アクセス履歴情報を前記不揮発記憶媒体に書き込むものであってもよい。
【００３３】
請求項１２記載の発明の記録媒体は、各種アクセス要求に応じて、当該要求のあったアクセスに対応する処理を実行し、当該アクセスの種別によっては当該情報機器の不揮発記憶媒体に必要な情報を記憶する情報機器に導入され、前記アクセスが発生したときに、当該アクセスが発生した旨の情報をアクセス履歴情報として前記不揮発記憶媒体に記憶させるアクセス履歴管理プログラムの記録された記録媒体であって、前記アクセス履歴管理プログラムとして、請求項１から請求項１１記載のアクセス履歴管理処理を前記情報機器に実行させるアクセス履歴管理プログラムを記録することにより、上記目的を達成している。
【発明の効果】
【００３４】
請求項１記載の発明の情報機器によれば、各種アクセス要求に応じて、当該要求のあったアクセスに対応する処理を実行して、当該アクセスの種別によっては不揮発記憶媒体に必要な情報を記憶するとともに、当該アクセスが発生した旨の情報をアクセス履歴情報として当該不揮発記憶媒体に書き込むに際して、不揮発記憶媒体に対する読取動作及び書込動作がない場合に少なくとも当該不揮発記憶媒体への電力供給を制限して消費電力を削減する省電力モード時に、アクセスがあると、所定の省電力モード解除基準に基づいて当該省電力モードを解除するか否かを判断し、当該省電力モードを解除する場合には、当該アクセスのアクセス履歴情報を不揮発記憶媒体に書き込むアクセス履歴管理処理を実行するので、アクセス履歴情報の記録とアクセス履歴情報の記録先である不揮発記憶媒体を停止する省電力モードのどちらを優先するかを所定の省電力モード解除基準に基づいて判断することができ、省電力を図りつつアクセス履歴情報を適切に管理することができる。
【００３５】
請求項２記載の発明の情報機器によれば、省電力モード解除基準を、適宜設定可能として、当該設定された省電力モード解除基準に基づいて発生したアクセスに対して省電力モードを解除するか否か判断するので、アクセス履歴情報の記録とアクセス履歴情報の記録先である不揮発記憶媒体を停止する省電力モードのどちらを優先するかをユーザが適宜設定することができ、省電力を図りつつアクセス履歴情報を適切に管理することができるとともに、利用性を向上させることができる。
【００３６】
請求項３記載の発明の情報機器によれば、省電力モード解除基準として、アクセスの種類毎に省電力モードを解除するアクセスであるか否かの省電力解除可否アクセスを設定可能とし、アクセスが発生すると、当該アクセスが省電力解除可否アクセスに省電力モードを解除するアクセスとして設定されているか否かに基づいて省電力モードを解除するか否かを判断するので、ユーザの情報機器に対するアクセスの種類に応じてアクセス履歴情報の記録と省電力モードのどちらを優先するかを決定することができ、ユーザの利用形態に応じて省電力を図りつつアクセス履歴情報を最適に管理することができるとともに、利用性をより一層向上させることができる。
【００３７】
請求項４記載の発明の情報機器によれば、省電力モード解除基準として、アクセスの発生時間帯毎に省電力モードを解除するか否かの省電力解除可否時間帯を設定可能とし、アクセスが発生すると、当該アクセスの発生時間帯が省電力モード解除可否時間帯に省電力モードを解除する時間帯として設定されているか否かに基づいて省電力モードを解除するか否かを判断するので、ユーザの情報機器の利用時間帯に応じてアクセス履歴情報の記録と省電力モードのどちらを優先するかを決定することができ、ユーザの利用時間帯に応じて省電力を図りつつアクセス履歴情報を最適に管理することができるとともに、利用性をより一層向上させることができる。
【００３８】
請求項５記載の発明の情報機器によれば、省電力モード解除基準として、省電力モードを解除するユーザであるか否かの省電力解除可否ユーザを設定可能とし、アクセスが発生すると、当該アクセスしてきたユーザが省電力解除可否ユーザに省電力モードを解除するユーザとして設定されているユーザであるか否かに基づいて省電力モードを解除するか否かを判断するので、各ユーザの情報機器の利用形態に応じてアクセス履歴情報の記録と省電力モードのどちらを優先するかを決定することができ、ユーザ毎の利用形態に応じて省電力を図りつつアクセス履歴情報を最適に管理することができるとともに、利用性をより一層向上させることができる。
【００３９】
請求項６記載の発明の情報機器によれば、省電力モード解除基準として、アクセスを拒否した場合に省電力モードを解除するか否かのアクセス拒否時省電力モード解除基準を設定可能とし、アクセスが発生して当該アクセスを拒否した場合に、当該アクセス拒否時省電力モード解除基準に基づいて省電力モードを解除するか否かを判断するので、例えば、不正な攻撃を受けてアクセスを拒否した場合等に対するアクセス履歴情報の記録を適切に行うことができ、省電力を図りつつアクセス履歴情報をより一層適切に管理することができる。
【００４０】
請求項７記載の発明の情報機器によれば、各種アクセス要求に応じて、当該要求のあったアクセスに対応する処理を実行して、当該アクセスの種別によっては不揮発記憶媒体に必要な情報を記憶するとともに、当該アクセスが発生した旨の情報をアクセス履歴情報として当該不揮発記憶媒体に書き込むに際して、不揮発記憶媒体に対する読取動作及び書込動作がない場合に少なくとも不揮発記憶媒体への電力供給を制限して消費電力を削減する省電力モード時に、アクセスがあると、当該アクセスのアクセス履歴情報を、省電力モード時に当該省電力モードを解除することなくアクセス履歴情報の書き込みが可能な省電力時書込可能不揮発記憶媒体に書き込み、所定の省電力モード復帰要因が発生すると、省電力モードを解除して、当該省電力モード時に省電力時書込可能不揮発記憶媒体に書き込んだアクセス履歴情報を不揮発記憶媒体に書き込むアクセス履歴管理処理を実行するので、省電力モードを解除することなく、アクセス履歴情報を確実に記録することができ、省電力をより一層向上させることができるとともに、アクセス履歴情報を適切に管理することができる。
【００４１】
請求項８記載の発明の情報機器によれば、所定の省電力モード復帰要因を、アクセス履歴情報を不揮発記憶媒体に書き込むため以外の省電力モード復帰要因とするので、アクセス履歴情報を不揮発記録媒体に書き込むために省電力モードを解除することなく、アクセス履歴情報を確実に記録することができ、省電力をより一層向上させることができるとともに、アクセス履歴情報を適切に管理することができる。
【００４２】
請求項９記載の発明の情報機器によれば、省電力時書込可能不揮発記憶媒体へ書き込んだアクセス履歴情報の合計サイズが予め設定されている所定サイズを超えたことを所定の省電力モード復帰要因として、省電力モードを解除して、当該省電力モード時に省電力時書込可能不揮発記憶媒体に書き込んだアクセス履歴情報を不揮発記憶媒体に書き込むので、省電力モードを解除することなく、アクセス履歴情報を省電力時書込可能不揮発記憶媒体に記録することができるとともに、省電力時書込可能不揮発記憶媒体の記憶容量がオーバーする前に、アクセス履歴情報を不揮発記憶媒体に転記して、アクセス履歴を確実に保存することができ、省電力をより一層向上させることができるとともに、アクセス履歴情報をより一層適切に管理することができる。
【００４３】
請求項１０記載の発明の情報機器によれば、省電力時書込可能不揮発記憶媒体へのアクセス履歴情報の書込アクセスの合計回数が予め設定されている所定回数を超えたことを所定の省電力モード復帰要因として、省電力モードを解除して、当該省電力モード時に省電力時書込可能不揮発記憶媒体に書き込んだアクセス履歴情報を不揮発記憶媒体に書き込むので、省電力モードを解除することなく、アクセス履歴情報を省電力時書込可能不揮発記憶媒体に記録することができるとともに、省電力時書込可能不揮発記憶媒体のアクセス履歴情報が停電等で消失する前に不揮発記憶媒体に転記して、アクセス履歴を確実に保存することができ、省電力をより一層向上させることができるとともに、アクセス履歴情報をより一層適切に管理することができる。
【００４４】
請求項１１記載の発明の情報機器によれば、情報機器の電源のオフが要求されたことを所定の省電力モード復帰要因として、省電力モードを解除して、当該省電力モード時に省電力時書込可能不揮発記憶媒体に書き込んだアクセス履歴情報を不揮発記憶媒体に書き込むので、省電力モードを解除することなく、アクセス履歴情報を省電力時書込可能不揮発記憶媒体に記録することができるとともに、電源のオフを行う前に、省電力時書込可能不揮発記憶媒体のアクセス履歴情報を不揮発記憶媒体に転記して、アクセス履歴を確実に保存することができ、省電力をより一層向上させることができるとともに、アクセス履歴情報をより一層適切に管理することができる。
【００４５】
請求項１２記載の発明の記録媒体によれば、各種アクセス要求に応じて、当該要求のあったアクセスに対応する処理を実行し、当該アクセスの種別によっては当該情報機器の不揮発記憶媒体に必要な情報を記憶する情報機器に導入され、アクセスが発生したときに、当該アクセスが発生した旨の情報をアクセス履歴情報として不揮発記憶媒体に記憶させるアクセス履歴管理プログラムを記録するに際して、アクセス履歴管理プログラムとして、請求項１から請求項１１記載のアクセス履歴管理処理を情報機器に実行させるアクセス履歴管理プログラムを記録するので、当該記録媒体のアクセス履歴管理プログラムを情報機器に導入して実行することで、アクセス履歴情報の記録とアクセス履歴情報の記録先である不揮発記憶媒体を停止する省電力モードのどちらを優先するかを所定の省電力モード解除基準に基づいて判断し、省電力を図りつつアクセス履歴情報を適切に管理する情報機器を構築することができる。
【発明を実施するための最良の形態】
【００４６】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００４７】
図１〜図８は、本発明の情報機器及び記録媒体の一実施例を示す図であり、図１は、本発明の情報機器及び記録媒体の一実施例を適用した複合装置１のブロック構成図である。
【００４８】
図１において、複合装置１は、ＣＰＵ（Central Processing Unit ）２、ＲＯＭ（Read Only Memory）３、ＲＡＭ（Random Access Memory）４、操作部５、不揮発ＲＡＭ６、ハードディスク７、原稿読取部８、ＭＳＵ９、ＭＳＵ用メモリ１０、印刷部１１及びネットワークアダプタ１２等を備えている。
【００４９】
ＲＯＭ３は、複合装置１としての基本プログラム及び後述するアクセス履歴管理プログラム等の各種プログラムを格納するとともに、これらの各プログラムを実行するのに必要な各種データを格納する。このアクセス履歴管理プログラムは、予めＲＯＭ３に格納されているものに限るものではなく、例えば、ＣＤ（Compact Disc）等の記録媒体に当該アクセス履歴管理プログラムが記録されていて、当該アクセス履歴管理プログラムを図示しないドライバで読み取って、ハードディスク７あるいはプログラム格納用メモリに格納するようにしてもよい。そして、本実施例の複合装置１は、当該アクセス履歴管理プログラムを組み込むことで、構築される。
【００５０】
ＣＰＵ２は、ＲＯＭ３内のプログラムに基づいて、ＲＡＭ４をワークメモリとして利用しつつ複合装置１の各部を制御して、複合装置１としての基本処理を実行するとともに、後述するアクセス履歴管理処理を実行する。
【００５１】
操作部５は、図２に示すように、テンキー２１、クリアキー２２、エンターキー２３、スタートキー２４、コピーキー２５、ドキュメントボックスキー２６、ＦＡＸキー２７、プリンタキー２８及び初期設定キー２９等のハードキーが設けられているとともに、液晶タッチパネル３０が設けられている。液晶タッチパネル３０には、機能キー及び複合装置１の状態を示すメッセージ等が表示され、液晶タッチパネル３０は、後述するように、アクセス履歴管理処理での処理設定を指定するのに使用される。
【００５２】
テンキー２１は、各種数値を入力するのに使用され、エンターキー２３は、テンキー２１で入力された数値を確定するために使用される。クリアキー２２は、テンキー２１等の入力をクリアするのに使用され、コピーキー２５は、複合装置１でコピー機能を実行させる場合に押下される。ドキュメントボックスキー２６は、原稿読取部８で読み取った原稿の画像データをハードディスク７に蓄積したり、蓄積済の画像データを使用して印刷部１１で画像を用紙に印刷する場合に押下され、ＦＡＸキー２７は、原稿読取部８にセットされた原稿の画像データやハードディスク７に格納されている原稿の画像データをファクシミリ送信する場合に押下される。プリンタキー２８は、後述する外部コンピュータＰＣからのデータを記録出力する場合に押下され、初期設定キー２９は、複合装置１の属性を設定する場合に押下される。
【００５３】
再び、図１において、原稿読取部８は、例えば、ＣＣＤ（Charge Coupled Device ）を利用したイメージスキャナ等が用いられており、ＡＤＦ（自動原稿送り装置）を備えている。ＡＤＦは、セットされた複数の原稿を１枚ずつ分離して、原稿読取部８の読取台に搬送する。原稿読取部８は、読取台上にセットされた原稿及びＡＤＦにより読取台上に搬送されてきた原稿に光を照射して、原稿で反射された反射光により原稿の画像を読み取る。原稿読取部８の読み取った画像データは、ＭＳＵ９によりＭＳＵ用メモリ１０またはハードディスク７に格納される。
【００５４】
印刷部１１は、所定の印刷方式、例えば、電子写真方式等でＭＳＵ９から転送されてくる画像データに基づいて記録紙に印刷を行う。
【００５５】
ＭＳＵ用メモリ１０は、出力用の画像データを記憶し、ＭＳＵ９からアクセスすることができる。
【００５６】
ハードディスク（不揮発記憶媒体）７は、ＭＳＵ用メモリ１０上にある画像データを保存し、また、保存した画像データは、ＭＳＵ９により読み出されて、ＭＳＵ用メモリ１０上に展開される。また、ハードディスク７は、画像データ以外の任意のデータ、特に、複合装置１の履歴情報も書き込むことができる。
【００５７】
ＭＳＵ９は、画像メモリ用のコントローラであり、ＣＰＵ２からのコマンドによってＭＳＵ用メモリ１０、ハードディスク７等の制御を行って、原稿読取部８からの画像データのＭＳＵ用メモリ１０への記憶、ＭＳＵ用メモリ１０の画像のハードディスク７への保存、ハードディスク７に保存している画像のＭＳＵ用メモリ１０上への展開、ハードディスク７に保存した画像の削除、ＭＳＵ用メモリ１０に展開した画像の印刷部１１での記録出力、ＣＰＵ２からのＭＳＵ用メモリ１０上に対する任意の値のセット（任意の画像の書き込み）及びＭＳＵ用メモリ１０の２つの画像の画素毎に論理演算を行って、その結果である合成画像を別画像としてＭＳＵ用メモリ１０に展開処理等を実行する。
【００５８】
ネットワークアダプタ１２には、ＬＡＮ（Local Area Network）が接続されており、このＬＡＮに接続されている外部装置としての外部コンピュータＰＣとの間で、コマンドの送・受信を行う。
【００５９】
なお、図１には図示していないが、複合装置１は、各種定型サイズの転写紙を収納する複数の転写紙トレー、各転写紙トレーの用紙有無を検出する用紙センサ及びその他の各種負荷やセンサ等のドライバ、リアルタイムクロック等を備えていて、これらがＣＰＵ２に接続されている。
【００６０】
次に、本実施例の作用を説明する。本実施例の複合装置１は、省電力と履歴管理を効率的に行うアクセス履歴管理処理を実行する。
【００６１】
まず、複合装置１でのアクセス履歴情報について、図３に基づいて説明する。複合装置１では、アクセスがあると、図３に示すようにアクセス履歴情報を記録し、アクセスは、操作部５からだけでなく、ネットワークアダプタ１２に接続されたネットワークを経由して外部コンピュータＰＣからも行われる。アクセス履歴情報としては、アクセスの種類、アクセスの時刻、アクセスユーザ元、アクセスを拒絶したかどうか、アクセスの詳細内容があり、アクセス種粳は、アクセスを分別するための属性で、蓄積文書の書誌情報の参照、蓄積文書の再印刷、蓄積文書の削除、ＦＡＸの受信、ＦＡＸの送信、プリンタの印刷及びコピーの７つの種類が想定されている。
【００６２】
アクセス時刻は、アクセスが発生した時刻を属性としてもち、複合装置１の有しているリアルタイムクロックを元に発生した時刻を設定する。
【００６３】
アクセスユーザ元は、アクセスを行ったユーザを属性としてもち、アクセスを行う場合に、ユーザ名を入力する必要がある。ユーザが、複合装置１にアクセスした時に入力したユーザ名をこのアクセスユーザ元の属性に設定する。
【００６４】
アクセスを拒絶したかどうかは、複合装置１へのアクセスがあった場合に、不正なアクセスと判断して、要求を拒絶することがあるが、このような不正なアクセスがあったことを記録する場合に識別するための属性である。
【００６５】
アクセスの詳細内容は、アクセスの種類によって異なり、アクセスの詳細な内容を示す属性である。例えば、アクセスの種類がコピーであれば、原稿サイズ、転写紙サイズ、コピーのモード、出力枚数等のアクセスであるコピーの内容をより詳しく把握するためのものである。
【００６６】
そして、複合装置１では、省電力モードにおいてアクセスが発生したときにどのように動作するかを初期設定で、設定することができる。
【００６７】
すなわち、複合装置１は、操作部５の初期設定キー２９が押下されると、初期設定メニューを表示するが、この初期設定メニューで、省電力モード中のアクセスログ設定が選択されると、図４に示す省電力モード中のアクセスログ設定画面４０を、操作部５の液晶タッチパネル３０に表示する。
【００６８】
この省電力モード中のアクセスログ設定画面４０では、省電力モード中にアクセスされた場合に、アクセスログを、「全て記録する」、「全て記録しない」、「条件により記録する」の３種類のうちから１つを選択することができる。
【００６９】
そして、「条件により記録する」の場合には、図４の省電力モード中のアクセスログ設定画面４０に示すように、アクセス種類別に、省電力中のアクセスのアクセスログを「記録する」、「記録しない」を個別に選択することができ、時間帯として、ある時刻〜ある時刻まで、また、曜日指定で設定入力することができる。また、ユーザ別設定として、特定のユーザからのアクセスに限って、省電力中のアクセスを記録するように設定することができ、任意のユーザを選択することができる。さらに、省電力モード中の複合装置１へのアクセスが拒絶され、実際の処理が行われなかった場合に、当該アクセスを記録するかどうかの設定を行うことができる。
【００７０】
そして、複合装置１は、上述のようにして省電力モード中のアクセスログ設定が行われている状態で、アクセスがあった場合の処理を、アクセスとして、蓄積文書の削除を例として、図５に基づいて説明する。なお、蓄積文書の削除は、操作部５の操作で削除を指示するだけでなく、ネットワークを介して外部コンピュータＰＣからも指示することができる。
【００７１】
複合装置１は、蓄積文書の削除要求があると、図５に示すように、削除する蓄積文書の選択を行い（ステップＳ１０１）、削除を実行するユーザ名の入力を促して、ユーザ名が入力されると、当該入力されたユーザ名を取得する（ステップＳ１０２）。このユーザ名の入力においては、ユーザは、過去にユーザ名の入力を行っていて複合装置１に既に登録されているときには、当該登録されているユーザ名から選択することで、入力することもできる。
【００７２】
次に、複合装置１は、蓄積文書に対するアクセスが正当であるかを認証するために、蓄積文書に設定済みのパスワードの入力を促して、パスワードの入力が行われると、当該入力されたパスワードを取得し（ステップＳ１０３）、入力されたパスワードと蓄積文書に設定されているパスワードとが一致するかチェックする（ステップＳ１０４）。
【００７３】
複合装置１は、ステップＳ１０４で、パスワードが一致すると、アクセスしてきたユーザが当該蓄積文書の削除権限を有していると判断して、処理対象の蓄積文書の削除処理を行い（ステップＳ１０５）、アクセス受け入れ時のログ記録要求メッセージ、例えば、「正当なアクセスで蓄積文書の削除を実行した」という内容のログ記録要求のメッセージを図６または図７で説明するアクセス履歴記録タスクに送信して、処理を終了する（ステップＳ１０６）。なお、複合装置１は、マルチタスクの処理が可能である。
【００７４】
複合装置１は、ステップＳ１０４で、パスワードが一致しないときには、蓄積文書の削除処理を行うことなく、アクセス拒否時のログ記録要求メッセージ、例えば、「不正なアクセスで蓄積文書の削除が要求された」という内容のログ記録要求のメッセージを図６または図７で説明するアクセス履歴記録タスクに送信して、処理を終了する（ステップＳ１０７）。
【００７５】
そして、複合装置１は、図６に示すように、図４に示した省電力モード中のアクセスログ設定画面４０での設定に応じて、アクセス履歴記録処理を実行する。
【００７６】
すなわち、複合装置１は、ログ記録要求メッセージを受信すると（ステップＳ２０１）、現在省電力モード中であるかチェックし（ステップＳ２０２）、省電力モードでないときには、ハードディスク７は動作可能であるため、アクセスが発生した箇所からのメッセージを受信して、アクセス履歴をハードディスク７に記録して（ステップＳ２０３）、ステップＳ２０１に戻る。
【００７７】
ステップＳ２０２で、省電力モード中であると、複合装置１は、省電力中のアクセス履歴の記録の有無のアクセス設定が、全て記録しないアクセス設定、全てを記録するアクセス設定、条件によって記録するアクセス設定のいずれであるかを判別し（ステップＳ２０４）、全て記録しないアクセス設定となっていると、アクセス履歴の記録を行う必要がないため、そのままステップＳ２０１に戻って、上記同様に処理を行う（ステップＳ２０１〜Ｓ２０４）。
【００７８】
ステップＳ２０４で、全て記録するアクセス設定であると、複合装置１は、省電力モードを解除して、ハードディスク７をアクセス履歴が書き込める状態にし（ステップＳ２０５）、アクセスが発生した箇所からのメッセージを受信して、アクセス履歴をハードディスク７に記録して（ステップＳ２０３）、ステップＳ２０１に戻る。
【００７９】
また、ステップＳ２０４で、条件によってアクセス履歴を記録する設定であると、複合装置１は、今回発生したアクセスが、図４の省電力モード中のアクセスログ設定画面４０の「条件により記録する」の項目で選択・設定された省電力中のアクセス種類（アクセスタイプ）に該当するかどうかチェックし（ステップＳ２０６）、今回発生したアクセスが当該設定されているアクセスに該当するときには、省電力モードを解除し（ステップＳ２０５）、アクセスが発生した箇所からのメッセージを受信して、アクセス履歴をハードディスク７に記録して（ステップＳ２０３）、ステップＳ２０１に戻る。
【００８０】
複合装置１は、ステップＳ２０６で、今回発生したアクセスが当該設定されているアクセスに該当しないときには、今回発生したアクセスの発生時間が、図４の省電力モード中のアクセスログ設定画面４０の「条件により記録する」の時間帯設定項目で設定された省電力中のアクセス時間帯に該当するかどうかチェックし（ステップＳ２０７）、今回発生したアクセスの時間が当該設定されている時間帯に該当するときには、省電力モードを解除し（ステップＳ２０５）、アクセスが発生した箇所からのメッセージを受信して、アクセス履歴をハードディスク７に記録して（ステップＳ２０３）、ステップＳ２０１に戻る。
【００８１】
複合装置１は、ステップＳ２０７で、今回発生したアクセスの発生時間が、設定された省電力中のアクセス時間帯に該当しないときには、今回発生したアクセスのユーザが、図４の省電力モード中のアクセスログ設定画面４０の「条件により記録する」のユーザ設定項目で設定されたユーザに該当するかどうかチェックし（ステップＳ２０８）、今回発生したアクセスのユーザが、当該設定されているユーザに該当するときには、省電力モードを解除し（ステップＳ２０５）、アクセスが発生した箇所からのメッセージを受信して、アクセス履歴をハードディスク７に記録して（ステップＳ２０３）、ステップＳ２０１に戻る。
【００８２】
複合装置１は、ステップＳ２０８で、今回発生したアクセスのユーザが、当該設定されているユーザに該当しないときには、図４の省電力モード中のアクセスログ設定画面４０の「条件により記録する」の拒絶されたアクセス設定項目で記録しないに設定されているかどうかチェックし（ステップＳ２０９）、拒絶されたアクセス設定項目で記録しないに設定されていない、すなわち、記録するに設定されているときには、アクセスが発生した箇所からのメッセージを受信して、アクセス履歴をハードディスク７に記録して（ステップＳ２０３）、ステップＳ２０１に戻る。
【００８３】
複合装置１は、ステップＳ２０９で、拒絶されたアクセス設定項目で記録しないに設定されているときには、省電力モードの解除及びアクセス履歴のハードディスク７への記録を行うことなく、ステップＳ２０１に戻って、上記同様に処理する（ステップＳ２０１〜Ｓ２０９）。
【００８４】
このように、本実施例の複合装置１は、各種アクセス要求に応じて、当該要求のあったアクセスに対応する処理を実行して、当該アクセスの種別によってはハードディスク７に必要な情報を記憶するとともに、当該アクセスが発生した旨の情報をアクセス履歴情報としてハードディスク７に書き込むに際して、ハードディスク７に対する読取動作及び書込動作がない場合に少なくともハードディスク７への電力供給を制限して消費電力を削減する省電力モード時に、アクセスがあると、所定の省電力モード解除基準に基づいて当該省電力モードを解除するか否かを判断し、当該省電力モードを解除する場合には、当該アクセスのアクセス履歴情報をハードディスク７に書き込むアクセス履歴管理処理を実行している。
【００８５】
したがって、アクセス履歴情報の記録とアクセス履歴情報の記録先であるハードディスク７を停止する省電力モードのどちらを優先するかを所定の省電力モード解除基準に基づいて判断することができ、省電力を図りつつアクセス履歴情報を適切に管理することができる。
【００８６】
また、本実施例の複合装置１は、省電力モード解除基準を、適宜設定可能として、当該設定された省電力モード解除基準に基づいて発生したアクセスに対して省電力モードを解除するか否か判断している。
【００８７】
したがって、アクセス履歴情報の記録とアクセス履歴情報の記録先であるハードディスク７を停止する省電力モードのどちらを優先するかをユーザが適宜設定することができ、省電力を図りつつアクセス履歴情報を適切に管理することができるとともに、利用性を向上させることができる。
【００８８】
さらに、本実施例の複合装置１は、省電力モード解除基準として、アクセスの種類毎に省電力モードを解除するアクセスであるか否かの省電力解除可否アクセスを設定可能とし、アクセスが発生すると、当該アクセスが省電力解除可否アクセスに省電力モードを解除するアクセスとして設定されているか否かに基づいて省電力モードを解除するか否かを判断している。
【００８９】
したがって、ユーザの情報機器に対するアクセスの種類に応じてアクセス履歴情報の記録と省電力モードのどちらを優先するかを決定することができ、ユーザの利用形態に応じて省電力を図りつつアクセス履歴情報を最適に管理することができるとともに、利用性をより一層向上させることができる。
【００９０】
また、本実施例の複合装置１は、省電力モード解除基準として、アクセスの発生時間帯毎に省電力モードを解除するか否かの省電力解除可否時間帯を設定可能とし、アクセスが発生すると、当該アクセスの発生時間帯が省電力モード解除可否時間帯に省電力モードを解除する時間帯として設定されているか否かに基づいて省電力モードを解除するか否かを判断している。
【００９１】
したがって、ユーザの情報機器の利用時間帯に応じてアクセス履歴情報の記録と省電力モードのどちらを優先するかを決定することができ、ユーザの利用時間帯に応じて省電力を図りつつアクセス履歴情報を最適に管理することができるとともに、利用性をより一層向上させることができる。
【００９２】
さらに、本実施例の複合装置１は、省電力モード解除基準として、省電力モードを解除するユーザであるか否かの省電力解除可否ユーザを設定可能とし、アクセスが発生すると、当該アクセスしてきたユーザが省電力解除可否ユーザに省電力モードを解除するユーザとして設定されているユーザであるか否かに基づいて省電力モードを解除するか否かを判断している。
【００９３】
したがって、各ユーザの情報機器の利用形態に応じてアクセス履歴情報の記録と省電力モードのどちらを優先するかを決定することができ、ユーザ毎の利用形態に応じて省電力を図りつつアクセス履歴情報を最適に管理することができるとともに、利用性をより一層向上させることができる。
【００９４】
また、本実施例の複合装置１は、省電力モード解除基準として、アクセスを拒否した場合に省電力モードを解除するか否かのアクセス拒否時省電力モード解除基準を設定可能とし、アクセスが発生して当該アクセスを拒否した場合に、当該アクセス拒否時省電力モード解除基準に基づいて省電力モードを解除するか否かを判断している。
【００９５】
したがって、例えば、不正な攻撃を受けてアクセスを拒否した場合等に対するアクセス履歴情報の記録を適切に行うことができ、省電力を図りつつアクセス履歴情報をより一層適切に管理することができる。
【００９６】
そして、複合装置１は、省電力モード時にアクセスがあった場合に、省電力モード時にも動作可能な不揮発ＲＡＭ（省電力時書込可能不揮発記憶媒体）６に当該アクセスのアクセス履歴を書き込むことで、省電力モードを解除することなく、アクセス履歴を記録できるようにしてもよい。
【００９７】
この場合、複合装置１は、図７に示すように、このアクセス履歴のＲＡＭ記録タスクを立ち上げるときに、１回だけ、ＲＡＭ記録回数とＲＡＭ記録サイズをリセットする（ステップＳ３０１）。このＲＡＭ記録回数は、不揮発ＲＡＭ６に書き込んだアクセス履歴の個数をカウントするカウンタであり、ＲＡＭ記録サイズは、複合装置１でアクセス履歴用に確保したＲＡＭ容量を超える前に、不揮発ＲＡＭ６上のアクセス履歴をハードディスク７に書き込むための変数である。
【００９８】
複合装置１は、次に、ログ記録要求メッセージを受信すると（ステップＳ３０２）、現在省電力モード中であるかチェックし（ステップＳ３０３）、省電力モードでないときには、ハードディスク７は動作可能であるため、アクセスが発生した箇所からのメッセージを受信して、アクセス履歴をハードディスク７に記録して（ステップＳ３０４）、ステップＳ３０２に戻る。
【００９９】
ステップＳ３０３で、省電力モード中であると、複合装置１は、ＲＡＭ記録回数を１回加算して（ステップＳ３０５）、ＲＡＭ記録回数が予め設定されている一定回数（所定回数）を超えたかどうかを判断し（ステップＳ３０６）、ＲＡＭ記録回数が一定回数を超えると、不揮発ＲＡＭに記憶したアクセス履歴をハードディスク７に保存するために、省電力モードから復帰して、ハードディスク７が利用できるようにする（ステップＳ３０７）。
【０１００】
複合装置１は、省電力モードから復帰すると、今までに、不揮発ＲＡＭに記憶していたアクセス履歴をハードディスク７に書き込み（ステップＳ３０８）、ＲＡＭ記録回数とＲＡＭ記録サイズをリセットする（ステップＳ３０９）。
【０１０１】
複合装置１は、ＲＡＭ記録回数とＲＡＭ記録サイズをリセットすると、今回アクセスが発生した箇所からのメッセージを受信して、アクセス履歴をハードディスク７に記録して（ステップＳ３０４）、ステップＳ３０２に戻る。
【０１０２】
ステップＳ３０６で、ＲＡＭ記録回数が一定回数を超えていないときには、複合装置１は、ＲＡＭ記録サイズに、今回登録するアクセス履歴のサイズだけ加算して、ＲＡＭ記録サイズの再設定を行い（ステップＳ３１０）、ＲＡＭ記録サイズが予め設定された一定サイズ（所定サイズ）を超えたかどうかを判断する（ステップＳ３１１）。
【０１０３】
ステップＳ３１１で、ＲＡＭ記録サイズが一定サイズを超えないときには、複合装置１は、今回アクセスが発生した箇所からのメッセージを受信して、アクセス履歴を不揮発ＲＡＭに記録して（ステップＳ３１２）、ステップＳ３０２に戻り、上記同様に処理する（ステップＳ３０２〜Ｓ３１２）。
【０１０４】
ステップＳ３１１で、ＲＡＭ記録サイズが一定サイズを超えると、複合装置１は、不揮発ＲＡＭに記憶したアクセス履歴をハードディスク７に保存するために、省電力モードから復帰して、ハードディスク７が利用できるようにし（ステップＳ３０７）、今までに、不揮発ＲＡＭに記憶していたアクセス履歴をハードディスク７に書き込んで（ステップＳ３０８）、ＲＡＭ記録回数とＲＡＭ記録サイズをリセットする（ステップＳ３０９）。複合装置１は、ＲＡＭ記録回数とＲＡＭ記録サイズをリセットすると、今回アクセスが発生した箇所からのメッセージを受信して、アクセス履歴をハードディスク７に記録して（ステップＳ３０４）、ステップＳ３０２に戻り、上記同様に処理する（ステップＳ３０２〜Ｓ３１２）。
【０１０５】
そして、複合装置１は、不揮発ＲＡＭ６にアクセス履歴を記録する場合、上記図７の処理で説明した場合に不揮発ＲＡＭ６上のアクセス履歴をハードディスク７に記録するだけでなく、図８に示すように、電源オフ要求があった場合等においても、不揮発ＲＡＭ６上のアクセス履歴をハードディスク７に記録する。
【０１０６】
すなわち、複合装置１は、電源がオンされた後、省電力モード移行のための条件（省電力移行条件：例えば、待機状態で一定時間アクセスが無い等）に該当しているか判断し（ステップＳ４０１）、省電力移行条件に該当しないときには、省電力モードでない場合の通常処理を行って（ステップＳ４０２）、電源ＯＦＦ（オフ）移行要求があったかどうか判断する（ステップＳ４０３）。この電源ＯＦＦ移行要求は、例えば、複合装置１の電源ボタンがＯＦＦ操作された場合等である。
【０１０７】
ステップＳ４０３で、電源ＯＦＦ移行要求がないときには、複合装置１は、ステップＳ４０１に戻って、省電力移行条件に該当しているかの判断から上記同様に処理する。
【０１０８】
ステップＳ４０３で、電源ＯＦＦ移行要求があると、複合装置１は、不揮発ＲＡＭ上のアクセス履歴をハードディスク７に書き込み（ステップＳ４０４）、その後、複合装置１の電源をＯＦＦにして、処理を終了する（ステップＳ４０５）。
【０１０９】
上記ステップＳ４０１で、省電力移行条件に該当するときには、複合装置１は、省電力モードに移行する処理を行って、ハードディスク７への電源の供給の制限等を行う省電力モードに移行し（ステップＳ４０６）、省電力モードに移行すると、省電力モード復帰の条件（省電力復帰条件）が発生したかチェックする（ステップＳ４０７）。この省電力復帰条件としては、例えば、ある種類の複合装置１へのアクセス（例えば、操作部５からのキー入力等）がある。
【０１１０】
ステップＳ４０７で、省電力復帰条件が発生しないときには、複合装置１は、電源ＯＦＦ移行要求（例えば、複合装置１の電源ボタンがＯＦＦ操作された場合等）が発生したか判断し（ステップＳ４０８）、電源ＯＦＦ移行要求がないときには、ステップＳ４０７に戻って、再度、省電力復帰条件が発生したかチェックする（ステップＳ４０７）。
【０１１１】
ステップＳ４０８で、電源ＯＦＦ移行要求があると、複合装置１は、省電力中に不揮発ＲＡＭに記録したアクセス履歴をハードディスク７に保存するために、一旦、省電力モードから復帰して、ハードディスク７が利用できるようにし（ステップＳ４０９）、不揮発ＲＡＭ上のアクセス履歴をハードディスク７に書き込んで（ステップＳ４０４）、その後、複合装置１の電源をＯＦＦにして、処理を終了する（ステップＳ４０５）。
【０１１２】
ステップＳ４０７で、省電力復帰条件が発生すると、複合装置１は、省電力モードから復帰する処理、例えば、ハードディスク７への電源供給の制限を解除する処理等を行って（ステップＳ４１０）、省電力モード中に不揮発ＲＡＭに記録したアクセス履歴をハードディスク７に書き込み（ステップＳ４１１）、不揮発ＲＡＭ上のアクセス履歴をリセットするために、ＲＡＭ記録回数とＲＡＭ記録サイズをリセットして（ステップＳ４１２）、ステップＳ４０１に戻って、上記同様に処理する（ステップＳ４０１〜Ｓ４１２）。
【０１１３】
このように、本実施例の複合装置１は、省電力モード時に、アクセスがあると、当該アクセスのアクセス履歴情報を、省電力モード時に当該省電力モードを解除することなくアクセス履歴情報の書き込みが可能な不揮発ＲＡＭ６に書き込み、所定の省電力モード復帰要因が発生すると、省電力モードを解除して、当該省電力モード時に不揮発ＲＡＭ６に書き込んだアクセス履歴情報をハードディスク７に書き込むアクセス履歴管理処理を実行している。
【０１１４】
したがって、省電力モードを解除することなく、アクセス履歴情報を確実に記録することができ、省電力をより一層向上させることができるとともに、アクセス履歴情報を適切に管理することができる。
【０１１５】
また、本実施例の複合装置１は、所定の省電力モード復帰要因を、アクセス履歴情報をハードディスク７に書き込むため以外の省電力モード復帰要因としている。
【０１１６】
したがって、アクセス履歴情報をハードディスク７に書き込むために省電力モードを解除することなく、アクセス履歴情報を確実に記録することができ、省電力をより一層向上させることができるとともに、アクセス履歴情報を適切に管理することができる。
【０１１７】
また、本実施例の複合装置１は、不揮発ＲＡＭ６へ書き込んだアクセス履歴情報の合計サイズが予め設定されている所定サイズを超えたことを所定の省電力モード復帰要因として、省電力モードを解除して、当該省電力モード時に不揮発ＲＡＭ６に書き込んだアクセス履歴情報をハードディスク７に書き込んでいる。
【０１１８】
したがって、省電力モードを解除することなく、アクセス履歴情報を不揮発ＲＡＭ６に記録することができるとともに、不揮発ＲＡＭ６の記憶容量がオーバーする前に、アクセス履歴情報をハードディスク７に転記して、アクセス履歴を確実に保存することができ、省電力をより一層向上させることができるとともに、アクセス履歴情報をより一層適切に管理することができる。
【０１１９】
さらに、本実施例の複合装置１は、不揮発ＲＡＭ６へのアクセス履歴情報の書込アクセスの合計回数が予め設定されている所定回数を超えたことを所定の省電力モード復帰要因として、省電力モードを解除して、当該省電力モード時に不揮発ＲＡＭ６に書き込んだアクセス履歴情報をハードディスク７に書き込んでいる。
【０１２０】
したがって、省電力モードを解除することなく、アクセス履歴情報を不揮発ＲＡＭ６に記録することができるとともに、不揮発ＲＡＭ６のアクセス履歴情報が停電等で消失する前にハードディスク７に転記して、アクセス履歴を確実に保存することができ、省電力をより一層向上させることができるとともに、アクセス履歴情報をより一層適切に管理することができる。
【０１２１】
また、本実施例の複合装置１は、複合装置１の電源のオフが要求されたことを所定の省電力モード復帰要因として、省電力モードを解除して、当該省電力モード時に不揮発ＲＡＭ６に書き込んだアクセス履歴情報をハードディスク７に書き込んでいる。
【０１２２】
したがって、省電力モードを解除することなく、アクセス履歴情報を不揮発ＲＡＭ６に記録することができるとともに、電源のオフを行う前に、不揮発ＲＡＭ６のアクセス履歴情報をハードディスク７に転記して、アクセス履歴を確実に保存することができ、省電力をより一層向上させることができるとともに、アクセス履歴情報をより一層適切に管理することができる。
【０１２３】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１２４】
省電力モード時にアクセスがあった場合に当該アクセス履歴の記録をユーザの設定に応じて処理することで、省電力を図りつつ管理を適切に行うパーソナルコンピュータ、複写装置、プリンタ、ファクシミリ装置及び複合装置等の情報機器及び当該アクセス履歴処理プログラムを記録する記録媒体に適用することができる。
【図面の簡単な説明】
【０１２５】
【図１】本発明の情報機器及び記録媒体の一実施例を適用した複合装置のブロック構成図。
【図２】図１の操作部の平面図。
【図３】図１の複合装置でのアクセス履歴情報の一例を示す図。
【図４】図１の複合装置の操作部の液晶タッチパネルに表示する省電力モード中のアクセスログ設定画面の一例を示す図。
【図５】図１の複合装置による省電力モード中のアクセスの一つとして蓄積文書削除アクセスがあった場合の処理を示すフローチャート。
【図６】図５の処理でログ記録要求メッセージが発生したときのログ記録処理を示すフローチャート。
【図７】図１の複合装置による図５の処理でログ記録要求メッセージが発生したときの他のログ記録処理を示すフローチャート。
【図８】図１の複合装置によるＲＡＭへ記録したアクセス履歴のハードディスクへの記録処理を示すフローチャート。
【符号の説明】
【０１２６】
１  複合装置
２  ＣＰＵ
３  ＲＯＭ
４  ＲＡＭ
５  操作部
６  不揮発ＲＡＭ
７  ハードディスク
８  原稿読取部
９  ＭＳＵ
１０  ＭＳＵ用メモリ
１１  印刷部
１２  ネットワークアダプタ
２１  テンキー
２２  クリアキー
２３  エンターキー
２４  スタートキー
２５  コピーキー
２６  ドキュメントボックスキー
２７  ＦＡＸキー
２８  プリンタキー
２９  初期設定キー
３０  液晶タッチパネル
４０  アクセスログ設定画面
【図１】
2005215856.tif 000003
【図２】
2005215856.tif 000004
【図３】
2005215856.tif 000005
【図４】
2005215856.tif 000006
【図５】
2005215856.tif 000007
【図６】
2005215856.tif 000008
【図７】
2005215856.tif 000009
【図８】
2005215856.tif 000010